(57)【要約】【課題】インタラクティブな放送サービスを提供すること。【解決手段】所定のターゲットオブジェクトを含む映像と、ターゲットオブジェクトの映像上の位置情報であるターゲットオブジェクト位置情報と、映像が表示される受信機において、受信機によって映像に対してアクションを行った位置情報を検出し、検出された位置情報とターゲットオブジェクト位置情報とを照合し、照合結果によりイベントを発生させるプログラムとを放送する放送手段を有する放送システムである。【選択図】図１
2018014738.tif 000002
【特許請求の範囲】
【請求項１】
所定のターゲットオブジェクトを含む映像と、
前記ターゲットオブジェクトの映像上の位置情報であるターゲットオブジェクト位置情報と、
前記映像が表示される受信機において、前記受信機によって前記映像に対してアクションを行った位置情報を検出し、検出された位置情報と前記ターゲットオブジェクト位置情報とを照合し、照合結果によりイベントを発生させるプログラムと
を放送する放送手段を有する放送システム。
【請求項２】
前記照合結果を集計する集計手段と、
前記照合結果が所定の条件を満たした場合、所定のイベントを発生させた映像を放送するイベント映像放送手段と
を有し、
前記イベントが、前記照合結果を前記集計手段に送信する
請求項１に記載の放送システム。
【請求項３】
前記受信機による前記映像に対するアクションが、前記受信機の操作手段による前記映像に対するアクションである
請求項１又は請求項２に記載の放送システム。
【請求項４】
前記操作手段が、リモコンであり、
前記アクションが、前記リモコンのボタンの押下である
請求項３に記載の放送システム。
【請求項５】
放送局が、所定のターゲットオブジェクトを含む映像と、前記ターゲットオブジェクトの映像上の位置情報であるターゲットオブジェクト位置情報と、前記映像が表示される受信機において、前記受信機によって前記映像に対してアクションを行った位置情報を検出し、検出された位置情報と前記ターゲットオブジェクト位置情報とを照合し、照合結果によりイベントを発生させるプログラムとを放送し、
前記受信機が、前記映像と前記プログラムとを受信し、
前記受信機が、前記映像に対してアクションを行った位置情報を検出し、検出された位置情報と前記ターゲットオブジェクト位置情報とを照合し、照合結果によりイベントを発生させる
放送方法。
【発明の詳細な説明】
【技術分野】
【０００１】
本発明は、放送システム及び放送方法に関する。
【背景技術】
【０００２】
近年のデジタル化に伴い、放送業界もデジタル化が進んでいる。代表的なサービスとして、デジタル放送やデータ放送がある。
【０００３】
これらのサービスにおいて、画像中の対象物、例えば人物と、この人物の情報とをリンクさせて提供するサービスがある。このサービスでは、ある対象物が他の情報とリンクされていることを示すリンクマークを対象物上に表示させる必要がある。
【０００４】
そこで、移動する対象物に追従させるように画像中にリンクマークを表示させるため、対象物の移動を調べ、それに追従するようにリンクマークの位置情報を、データ放送等を用いて伝送する技術が提案されている（例えば、特許文献１）。
【０００５】
特許文献１の技術は、画像中の所定の対象物を特定するリンクマークの位置情報を、イベントメッセージに記述し、符号化された画像とは異なる情報として、リンクマークの表示位置を変更する必要が生じるごとに、符号化された画像と多重化したトランスポートストリームを伝送するものである。
【先行技術文献】
【特許文献】
【０００６】
【特許文献１】特許４８５４１５６号公報
【発明の概要】
【発明が解決しようとする課題】
【０００７】
しかしながら、上述の特許文献１技術は、所定の対象物の画面上の位置情報を、テレビ受信機に送信することはできるが、この技術を用いて、インタラクティブな放送サービスを提供することができるか課題であった。
【０００８】
そこで、本発明は上記課題に鑑みて発明されたものであって、インタラクティブな放送サービスを提供することを目的する。
【課題を解決するための手段】
【０００９】
本発明の一態様は、所定のターゲットオブジェクトを含む映像と、前記ターゲットオブジェクトの映像上の位置情報であるターゲットオブジェクト位置情報と、前記映像が表示される受信機において、前記受信機によって前記映像に対してアクションを行った位置情報を検出し、検出された位置情報と前記ターゲットオブジェクト位置情報とを照合し、照合結果によりイベントを発生させるプログラムとを放送する放送手段を有する放送システムである。
【００１０】
本発明の一態様は、前記放送局が、所定のターゲットオブジェクトを含む映像と、前記ターゲットオブジェクトの映像上の位置情報であるターゲットオブジェクト位置情報と、前記映像が表示される受信機において、前記受信機によって前記映像に対してアクションを行った位置情報を検出し、検出された位置情報と前記ターゲットオブジェクト位置情報とを照合し、照合結果によりイベントを発生させるプログラムとを放送し、前記受信機が、前記映像と前記プログラムとを受信し、前記受信機が、前記映像に対してアクションを行った位置情報を検出し、検出された位置情報と前記ターゲットオブジェクト位置情報とを照合し、照合結果によりイベントを発生させる放送方法である。
【発明の効果】
【００１１】
本発明によれば、インタラクティブな放送サービスを提供することができる。
【図面の簡単な説明】
【００１２】
【図１】図１は本発明の概要を示すブロック図である。
【図２】図２は第１の実施の形態における放送局１０のブロック図である。
【図３】図３はＢＭＬの一例を示す図である。
【図４】図４は第１の実施の形態におけるテレビ受信機のブロック図である。
【図５】図５は第１の実施の形態を説明する為の図である。
【図６】図６は第２の実施の形態におけるテレビ受信機のブロック図である。
【図７】図７は第２の実施の形態の集計サーバのブロック図である。
【図８】図８は第２の実施の形態の放送局１０のブロック図である。
【図９】図９はＢＭＬの一例を示す図である。
【図１０】図１０は第２の実施の形態を説明する為の図である。
【発明を実施するための形態】
【００１３】
本発明の実施の形態を説明する。
【００１４】
まず、本発明の概要を説明する。図１は本発明の概要を示すブロック図である。
【００１５】
図１中、１は放送部であり、２は表示部であり、３は操作部であり、４は照合部であり、５はイベント発生部である。
【００１６】
放送部１は、所定のターゲットオブジェクトを含む映像と、ターゲットオブジェクトの画面上の位置情報であるターゲットオブジェクト位置情報と、前記映像が表示される受信機において操作されるカーソルの位置を検出し、検出されたカーソルの位置と前記ターゲットオブジェクト位置とを照合するプログラムとを放送するものである。
【００１７】
ここで、放送される映像とは、通常のテレビ放送される映像のことである。また、ターゲットオブジェクトとは、映像中の所定の対象物を意味し、例えば、実映像中の人物、車等や、実映像中のコンピュータグラフィクによるキャラクタ等であるが、これらには限られない。
【００１８】
また、ターゲットオブジェクト位置情報は、映像におけるターゲットオブジェクトの位置の情報である。ターゲットオブジェクト位置情報の例としては、例えば座標などが考えられる。ターゲットオブジェクトがあるキャラクタである場合、そのキャラクタ全体を囲むような四角形を想定し、その四角形の４つの頂点の座標や、向かい合う二つの頂点の座標を位置情報としても良い。また、キャラクタのほぼ中心点の座標を、ターゲットオブジェクト位置情報としても良い。尚、ターゲットオブジェクト位置情報の代表的なものを例示したが、これらには限られない。また、ターゲットオブジェクトが複数ある場合、複数のターゲットオブジェクト位置情報を一つにまとめても良い。
【００１９】
本実施の形態では、上述のようなターゲットオブジェクト位置情報を、所定間隔毎（例えば、１秒毎）に伝送（放送）する。また、映像中のターゲットオブジェクトが移動する毎に、ターゲットオブジェクト位置情報を伝送（放送）するようにしても良い。尚、ターゲットオブジェクトの移動にかかわらず、所定間隔毎（例えば、１秒毎）に伝送（放送）するようにしても良い。伝送の方法としては、ＡＲＩＢ  ＳＴＤ−Ｂ２４に規定されているイベントメッセージや、ＭＰＥＧで規定されているトランスポート・プライベート・データ領域や、ＰＥＳ（Packetized Elementary Stream）のプライベート・データ領域がある。
【００２０】
放送部１から放送されるプログラムは、操作部３による映像中におけるカーソルの位置を検出し、検出されたカーソルの位置とターゲットオブジェクト位置情報とを照合するためのプログラムである。このプログラムの記述方法として、ＡＲＩＢ  ＳＴＤ−Ｂ２４に規定されているＢＭＬが代表的なものであるが、他のものであっても良い。
【００２１】
表示部２は、放送部１から放送された映像を表示するものであり、表示部２の代表的な例としては、テレビ受信機のディスプレイである。
【００２２】
操作部３は表示部２に表示された映像上のカーソルを、視聴者によって操作するものであり、操作部３の代表的な例としては、テレビ受信機のリモコン等である。
【００２３】
照合部４は、放送されたプログラムに基づいて、ターゲットオブジェクトの位置とカーソルの位置情報とを照合するものである。照合部４の代表的な例としては、テレビ受信機の内部に設けられた情報処理装置であって、データ放送のBMLにより動作する情報処理装置である。
【００２４】
イベント発生部５は、照合部４の照合結果に基づいて、イベントを発生させるものである。ここで、イベントの発生は、例えば、テレビ受信機自体で、映像中に照合結果を反映したオブジェクトを表示するようなイベントを発生させる場合や、放送部１からの映像中に照合結果を反映したオブジェクトを発生させる場合などがある。また、複数の照合部４から照合結果を収集し、その結果に基づいて、上記のようなイベントを発生させても良い。
【００２５】
このような構成により、テレビ放送により、ゲームのような視聴者による能動的な体験を行うことができるサービスを提供することができる。
【００２６】
以下、具体的な実施の形態を説明する。
【００２７】
＜第１の実施の形態＞
次に、本発明の第１の実施の形態を説明する。
【００２８】
第１の実施の形態は、照合部４及びイベント発生部５がテレビ受信機の内部に存在し、テレビ受信機が単独でイベントを発生させる実施の形態である。
【００２９】
図２は第１の実施の形態における放送局１０のブロック図である。
【００３０】
放送局１０は、ターゲットオブジェクト位置検出部１１と、ターゲットオブジェクト位置情報生成部１２と、イベントメッセージ生成部１３と、ＢＭＬ格納部１４と、多重化部１５とを備える。
【００３１】
ターゲットオブジェクト位置検出部１１は、ターゲットオブジェクトを含む映像が表示されるディスプレイと、タッチパネルやマウス等のポインティングデバイスとを有し、ディスプレイを介してタッチパネルに表示されているターゲットオブジェクトを押下することにより、移動するターゲットオブジェクトを特定し、その位置の座標を取得する。本例では、特定されたターゲットオブジェクトの予め定められた中心位置の座標を取得するようにする。尚、ターゲットオブジェクトがキャラクタのように、予め移動する位置が分かっている場合には、所定間隔毎の位置の座標を予め取得しておき、一定間隔でその位置の座標を出力するようにしても良い。
【００３２】
ターゲットオブジェクト位置情報生成部１２は、ターゲットオブジェクト位置検出部１１からのターゲットオブジェクト位置座標を受けて、イベントメッセージに乗せることができる情報に変換してターゲットオブジェクト位置情報を生成する。
【００３３】
イベントメッセージ生成部１３は、ターゲットオブジェクト位置情報生成部１２からの位置情報を、イベントメッセージのプライベート領域に格納して送出する。
【００３４】
ＢＭＬ格納部１４は、テレビ受信機において、上述した照合部４及びイベント発生部５の機能を発揮させるためのスクリプトが記載されたＢＭＬが格納されている。具体的には、イベントメッセージからターゲットオブジェクトの位置情報を取得し、放送されている映像が表示される受信機において操作されるカーソルの位置を検出し、ターゲットオブジェクトの位置と検出されたカーソルの位置とを照合する。そして、照合の結果に応じて、テレビ受信機のディスプレイにイベントを発生させるものである。ＢＭＬの一例を図３に示す。
【００３５】
図３に示されるＢＭＬは、キャラクタの予め定められた位置を中心点とし、その座標を、ターゲットオブジェクト位置情報として取得し、照合については、後述するリモコン２６の決定ボタンを押下した位置をカーソルの位置として検出する。そして、検出したカーソルの位置が、ターゲットオブジェクトの座標を中心として１０×１０ドットの範囲内にある場合、イベント（当たり）を発生させる処理が記述されたものである。
【００３６】
多重化部１５は、映像、ＢＭＬ格納部１４に格納されているＢＭＬ、及びイベントメッセージ生成部１３からのイベントメッセージを多重化して放送する。
【００３７】
続いて、第１の実施の形態におけるテレビ受信機について説明する。
【００３８】
図４は第１の実施の形態におけるテレビ受信機のブロック図である。
【００３９】
テレビ受信機２０は、受信部２１と、デコード部２２と、表示部２３と、照合部２４と、イベント発生部２５とを備える。
【００４０】
受信部２１は、放送波を受信するものである。
【００４１】
デコード部２２は、受信した放送波をデコードする。そして、映像を表示部２３に、ＢＭＬ（プログラム）を照合部２４及びイベント発生部２５に、イベントメッセージを照合部２４に出力する。
【００４２】
表示部２３はディスプレイであり、放送された映像を表示する。
【００４３】
照合部２４は、ＢＭＬ（プログラム）により動作し、リモコン２６により操作されるカーソルの位置を検出し、検出されたカーソルの位置と、イベントメッセージで受信したターゲットオブジェクト位置情報とを照合する。
【００４４】
イベント発生部２５は、照合部２４の照合結果により、イベントを発生させる。例えば、「当たり」等を、表示部２３に表示する。
【００４５】
続いて、テレビ受信機２０の表示部２３に表示される画面の遷移を示した図５を用いて、本実施の形態の具体的な動作を説明する。
【００４６】
まず、テレビ受信機２０の表示部２３には放送されている映像が表示され、その映像中にはターゲットオブジェクトも表示さている。また、リモコン２６により操作されるカーソルも表示される（状態Ａ）。
【００４７】
続いて、視聴者により、リモコン２６が操作されると、それにともないカーソルも移動する（状態Ｂ）。そして、リモコン２６により操作されるカーソルの位置を検出し、検出されたカーソルの位置と、イベントメッセージで受信したターゲットオブジェクト位置情報とを照合し、カーソルの位置とターゲットオブジェクト位置とが一致している場合には、イベントを発生させる。尚、カーソルの位置とターゲットオブジェクト位置との照合であるが、カーソルの位置座標とターゲットオブジェクト位置座標とが完全に一致している場合だけではなく、例えば、カーソルの位置座標がターゲットオブジェクト位置座標を中心とする所定の範囲内にある場合には、カーソルの位置とターゲットオブジェクト位置とが一致しているものとして扱うようにしても良い。
【００４８】
更に、イベントの発生は、１回に限らず、カーソルの位置とターゲットオブジェクト位置との一致の回数に応じて複数回行っても良い。例えば、図５の状態Ｃ及び状態Ｄのように、１回目のカーソルの位置とターゲットオブジェクト位置との一致時に、ターゲットオブジェクトの一部が壊れる様子のイベントを発生させ（状態Ｃ）、２回目のカーソルの位置とターゲットオブジェクト位置との一致時に、ターゲットオブジェクトが爆発するようなイベントを発生させるようにしても良い（状態Ｃ）。
【００４９】
第１の実施の形態では、テレビ受信機をゲーム機のようにすることができ、テレビ放送により、視聴者による能動的な体験型のサービスを提供することができる。
【００５０】
＜第２の実施の形態＞
次に、本発明の第２の実施の形態を説明する。
【００５１】
第２の実施の形態は、各テレビ受信機において、各テレビ受信機の判定結果を集計する集計サーバに、判定結果を送信するイベントを発生させ、集計サーバにおいて、複数のテレビ受信機から照合結果を集計し、その結果から放送局が放送する映像中にイベントを発生させる形態である。尚、第２の実施の形態において、第１の実施の形態と同様な構成のものは、同じ符号を付して詳細な説明を省略する。
【００５２】
図６は第２の実施の形態におけるテレビ受信機のブロック図である。
【００５３】
第２の実施の形態のテレビ受信機２０が、第１の実施の形態のテレビ受信機２０と異なる所は、イベント発生部２５に代えて照合結果送信部２６を備える点である。
【００５４】
照合結果送信部２６は、後述する集計サーバに、照合部２４の照合結果を送信する。すなわち、照合結果の送信というイベントを発生するのである。尚、照合結果の送信は、例えば、受信機において操作されるカーソルの位置とターゲットオブジェクトの位置とが一致した場合だけに限定しても良い。
【００５５】
図７は第２の実施の形態の集計サーバのブロック図である。
【００５６】
集計サーバ４０は、照合結果受信部４１と、照合結果集計部４２と、イベントトリガ発生部４３とを備える。
【００５７】
照合結果受信部４１は、各テレビ受信機２０から送信されてくる照合結果を受信する。
【００５８】
照合結果集計部４２は、照合結果受信部４１から出力される各受信機の照合結果を集計する。例えば、カーソルの位置とターゲットオブジェクトの位置とが一致した照合結果の数等である。
【００５９】
イベントトリガ発生部４３は、照合結果集計部４２の集計結果に応じて、イベントのトリガを発生する。例えば、カーソルの位置とターゲットオブジェクトの位置とが一致した照合結果の数が予め定められた閾値を超えた場合に、イベントのトリガを発生する。
【００６０】
図８は第２の実施の形態の放送局１０のブロック図である。
【００６１】
第２の実施の形態の放送局１０が、第１の実施の形態の放送局１０と異なる所は、第１の実施の形態の放送局１０に加えて映像イベント発生部１６を備えている点である。また、ＢＭＬ格納部１４には、図３に示したＢＭＬにおけるイベントの発生に代わりに、集計サーバに判定結果を送信するというイベントを発生させるスクリプトが記載されたＢＭＬが格納されている。このＢＭＬの一例を図９に示す。
【００６２】
映像イベント発生部１６は、集計サーバ４０のイベントトリガ発生部４３からのトリガを受けて、放送する映像中にイベントを発生させる。例えば、放送する映像中に集計結果の映像や、ターゲットオブジェクトの映像が変化するような映像を発生させる。尚、予め放送する映像を記憶させておいても良い。放送局１０からはイベントが発生した映像が放送されることとなる。
【００６３】
尚、本実施の形態では、各テレビ受信機２０において、テレビ受信機２０自体がイベントを発生する必要がないので、放送するプログラムは、イベントメッセージからターゲットオブジェクトの位置情報を取得し、放送されている映像が表示される受信機において操作されるカーソルの位置を検出し、ターゲットオブジェクトの位置と検出されたカーソルの位置とを照合する機能があれば良く、照合の結果に応じて、テレビ受信機のディスプレイにイベントを発生させる処理のプログラムは不要である。
【００６４】
続いて、テレビ受信機２０の表示部２３に表示される画面の遷移を示した図１０を用いて、本実施の形態の具体的な動作を説明する。
【００６５】
まず、テレビ受信機２０の表示部２３には放送されている映像が表示され、その映像中にはターゲットオブジェクトも表示さている。また、リモコン２６により操作されるカーソルも表示される（状態Ａ）。
【００６６】
続いて、視聴者により、リモコン２６が操作されると、それにともないカーソルも移動する（状態Ｂ）。そして、リモコン２６により操作されるカーソルの位置を検出し、検出されたカーソルの位置と、イベントメッセージで受信したターゲットオブジェクト位置情報とを照合し、カーソルの位置とターゲットオブジェクト位置とが一致している場合には、その照合結果を集計サーバ４０に送信する。
【００６７】
集計サーバ４０は、各テレビ受信機２０から送信されてくる照合結果を受信し、各受信機の照合結果を集計する。例えば、カーソルの位置とターゲットオブジェクトの位置とが一致した照合結果の数等である。
【００６８】
集計サーバ４０は、集計結果に応じて、イベントのトリガを発生する。例えば、カーソルの位置とターゲットオブジェクトの位置とが一致した照合結果の数が予め定められた閾値を超えた場合に、イベントのトリガを発生する。このとき、イベントの発生は、１回に限らず、カーソルの位置とターゲットオブジェクト位置との一致数に応じて複数回行っても良い。例えば、図１０の状態Ｂ、状態Ｃ及び状態Ｄのように、カーソルの位置とターゲットオブジェクト位置との一致数を、２５０、５００、１０００というように表示させるため、この数に達した場合はイベントのトリガを発生するようにしても良い。
【００６９】
イベントのトリガを受けて、テレビ放送局では実映像中に命中回数を表示するイベントを発生させ、放送する。このとき、ターゲットオブジェクトの一部が壊れる様子のイベントを発生させ（状態Ｃ）、命中回数が所定数（例えば、１０００回）に達したら、ターゲットオブジェクトが爆発するようなイベントを発生させるようにしても良い（状態Ｄ）。
【００７０】
第２の実施の形態では、テレビ受信機をゲーム機のようにすることができ、テレビ放送により、視聴者の多数参加型の能動的な体験型のサービスを提供することができる。
【００７１】
尚、上述した第１の実施の形態と第２の実施の形態とを組み合わせて用いても良いことは明らかである。すなわち、テレビ受信機単独で当たり判定を行ってその結果をテレビ受信機に表示すると共に、判定結果を集計サーバに送信し、集計結果を反映した映像を放送波で受信するように構成することもできる。
【００７２】
また、上述した実施の形態では、各部をハードウェアで構成したが、上述した動作の処理を情報処理装置（ＣＰＵ）に行わせるプログラムによっても構成できる。
【００７３】
以上好ましい実施の形態をあげて本発明を説明したが、本発明は必ずしも上記実施の形態に限定されるものではなく、その技術的思想の範囲内において様々に変形し実施することができる。
【符号の説明】
【００７４】
１      放送部
２      表示部
３      操作部
４      照合部
５      イベント発生部
１０    放送局
１１    ターゲットオブジェクト位置検出部
１２    ターゲットオブジェクト位置情報生成部
１３    イベントメッセージ生成部
１４    ＢＭＬ格納部
１５    多重化部
１６    映像イベント発生部
２０    テレビ受信機
２１    受信部
２２    デコード部
２３    表示部
２４    照合部
２５    イベント発生部
２６    照合結果送信部
４０    集計サーバ
４１    照合結果受信部
４２    照合結果集計部
４３    イベントトリガ発生部
【図１】
2018014738.tif 000003
【図２】
2018014738.tif 000004
【図３】
2018014738.tif 000005
【図４】
2018014738.tif 000006
【図５】
2018014738.tif 000007
【図６】
2018014738.tif 000008
【図７】
2018014738.tif 000009
【図８】
2018014738.tif 000010
【図９】
2018014738.tif 000011
【図１０】
2018014738.tif 000012